(57)【要約】【課題】現在のリモートコントローラは、分離された二つの装置を同時に制御することができない短所がある。【解決手段】本発明は、リモートコントロール装置、システム及びその方法に関する。本発明によるリモートコントローラは、第１装置にＲＦ信号を送信するＲＦアンテナと；第２装置にＩＲ信号を送信するＩＲ送信部と；ユーザーから入力命令を受信するユーザー入力部と；前記入力命令が受信されるのか確認し、前記入力命令が受信されれば、前記第１装置にＲＦ信号を送信するように前記ＲＦアンテナを制御し、前記第２装置にＩＲ信号を送信するように前記ＩＲ送信部を制御する制御部と；を含む。これによって、一つのリモートコントローラで複数の装置を同時に制御することができる。【選択図】図１
2011125003.tif 000002
【特許請求の範囲】
【請求項１】
複数の装置を制御するリモートコントロールにおいて、
第１装置にＲＦ（Radio  Frequency）信号を送信するＲＦアンテナと；
第２装置にＩＲ（Infrared）信号を送信するＩＲ送信部と；
ユーザーから入力命令を受信するユーザー入力部と；
前記入力命令の受信可否を確認し、前記入力命令が受信されれば、前記第１装置にＲＦ信号を送信するように前記ＲＦアンテナを制御し、前記第２装置にＩＲ信号を送信するように前記ＩＲ送信部を制御する制御部と；
を含むことを特徴とするリモートコントローラ。
【請求項２】
前記制御部は、前記第１装置にＲＦ信号を送信する前記ＲＦアンテナと、前記ＲＦ信号を送信する 第２装置にＩＲ信号を送信する前記ＩＲ送信部と、を同時に制御することを特徴とする請求項１に記載のリモートコントローラ。
【請求項３】
前記ＲＦアンテナは、ジグビー−遵守プロトコルによってＲＦ信号を送信することを特徴とする請求項１に記載のリモートコントローラ。
【請求項４】
前記第１装置はディスプレイ装置であり、前記第２装置は外部スピーカーであることを特徴とする請求項１に記載のリモートコントローラ。
【請求項５】
前記入力命令は、ボリューム変更命令であることを特徴とする請求項１に記載のリモートコントローラ。
【請求項６】
前記送信されるＲＦ信号は、前記受信された入力命令に従って前記第１装置の出力を変更するように前記第１装置を制御し、前記送信されるＩＲ信号は、前記受信された入力命令に従って前記第２装置の出力を変更するように前記第２装置を制御することを特徴とする請求項１に記載のリモートコントローラ。
【請求項７】
前記第１装置はディスプレイ装置であり、前記第２装置は外部スピーカーであり、
前記入力命令はボリューム変更命令であり、
前記送信されるＲＦ信号は、前記受信された入力命令に従ってボリューム変更が表示されるように前記ディスプレイ装置を制御し、前記送信されるＩＲ信号は、前記受信された入力命令に従って出力ボリュームレベルを変更するように前記外部スピーカーを制御することを特徴とする請求項１に記載のリモートコントローラ。
【請求項８】
ＲＦアンテナ及びＩＲ送信部を含むリモートコントローラで複数の装置を制御する方法において、
入力命令の前記リモートコントローラへの受信可否を確認する段階と；
前記入力命令が受信されれば、ＲＦアンテナから第１装置にＲＦ信号が送信されるようにリモートコントローラを制御する段階と；
前記入力命令が前記リモートコントローラに受信されれば、ＩＲ送信部で第２装置にＩＲ信号が送信されるように前記リモートコントローラを制御する段階と；
を含むことを特徴とする方法。
【請求項９】
前記入力命令が前記リモートコントローラに受信されれば、前記ＲＦ信号を送信するようにリモートコントローラを制御する段階は、ＩＲ信号を送信するように前記リモートコントローラを制御する段階と同時に行われることを特徴とする請求項８に記載の方法。
【請求項１０】
前記リモートコントローラは、ジグビー−遵守プルロトコルによって前記ＲＦ信号を送信するように前記ＲＦアンテナを制御することを特徴とする請求項８に記載の方法。
【請求項１１】
前記第１装置はディスプレイ装置であり、前記第２装置は外部スピーカーであることを特徴とする請求項８に記載の方法。
【請求項１２】
前記入力命令は、ボリューム変更命令であることを特徴とする請求項８に記載の方法。
【請求項１３】
前記送信されるＲＦ信号は、前記受信された入力命令に従って前記第１装置の出力を変更するように前記第１装置を制御し、前記送信されるＩＲ信号は、前記受信された入力命令に従って前記第２装置の出力を変更するように前記第２装置を制御することを特徴とする請求項８に記載の方法。
【請求項１４】
前記第１装置はディスプレイ装置であり、前記第２装置は外部スピーカーであり、
前記入力命令はボリューム変更命令であり、
前記送信されるＲＦ信号は、前記受信された入力命令に従ってボリューム変更イメージを表示するように前記ディスプレイ装置を制御し、前記送信されるＩＲ信号は、前記受信された入力命令に従って出力ボリュームレベルを変更するように前記外部スピーカーを制御することを特徴とする請求項８に記載の方法。
【発明の詳細な説明】
【技術分野】
【０００１】
本発明は、リモートコントローラ装置及び方法に関する。
【背景技術】
【０００２】
現在、いくつかのリモートコントローラは、複数の装置を制御することができる。例えば、プログラマブルリモートコントローラは、ＴＶ及びステレオシステムを制御するために使用されることができる。しかし、現在のリモートコントローラは、分離された二つの装置を同時に制御することができない短所がある。即ち、現在のリモートコントローラが二つの独立制御装置を同時に制御することができないことを意味する。従って、前記の問題を解決するためのリモートコントローラが要求される。
【０００３】
前記の‘同時に’という用語は、同じ時間に、またはユーザーの観点で経験される一応同じ時間を意味する。また、‘同時に発生する’及び‘同時に’という用語は、ここで同義語として使用される。また、前述のように、‘同時に発生する’及び‘同時に’という用語は、半−同時（semi−concurrent）、または半−同時状況（semi−simultaneous  situation）（即ち、どんな動作がユーザーには同時に現われる場合）を含む。
【発明の概要】
【発明が解決しようとする課題】
【０００４】
本発明の一実施形態は、前記の短所及び未記載された他の短所を解決する。また、本発明は、前記の短所を解決することが要求されなく、本発明の一実施形態は、前記の問題点の中でいずれも解決しないことができる。
【０００５】
従って、本発明の目的は、リモートコントローラ、システム及びリモートコントローラによる複数の装置の制御方法を提供することである。
【課題を解決するための手段】
【０００６】
本発明の一実施形態によると、リモートコントローラは、第１装置にＲＦ（radio  frequency）信号を送信することができるＲＦアンテナと；第２装置にＩＲ（Infrared）信号を送信することができるＩＲ送信部と；ユーザーから入力命令を受信することができるユーザー入力部と；前記入力命令の受信可否を決めて、入力命令が受信されれば、前記第１装置にＲＦ信号を送信するように前記ＲＦアンテナを制御し、前記第２装置にＩＲ信号を送信するように前記ＩＲ送信部を制御する制御部と；を含むことができる。
【０００７】
前記制御部は、前記第１装置にＲＦ信号を送信する前記ＲＦアンテナと前記ＲＦ信号を送信する第２装置にＩＲ信号を送信するＩＲ送信部を同時に制御することができる。
【０００８】
前記ＲＦアンテナは、ジグビー−遵守プロトコル（ZigBee−compliant  protocol）に従ってＲＦ信号を送信することができる。
【０００９】
前記第１装置はディスプレイ装置であり、前記第２装置は外部スピーカーである。
【００１０】
前記入力命令は、ボリューム変更命令である。
【００１１】
前記送信されたＲＦ信号は、前記受信された入力命令に対応して前記第１装置の出力を変更するように前記第１装置を制御することができる。また、前記送信されたＩＲ信号は、前記受信された入力命令に対応して前記第２装置の出力を変更するように前記第２装置を制御することができる。
【００１２】
前記第１装置はディスプレイ装置であり、前記第２装置は外部スピーカーである。また、前記入力命令は、ボリューム変更命令であり、前記送信されたＲＦ信号は、前記受信された入力命令に対応してボリューム変更を表示するように前記ディスプレイ装置を制御することができる。また、前記送信されたＩＲ信号は、前記受信された入力命令に対応して出力ボリュームレベルを変更するように前記外部スピーカーを制御することができる。
【００１３】
本発明の他の実施形態に従って、ＲＦアンテナ及びＩＲ送信部を有するリモートコントローラで複数の装置を制御する方法において、リモートコントローラに入力命令の受信可否を確認する段階と；入力命令が受信されれば、ＲＦアンテナから第１装置にＲＦ信号を送信するようにリモートコントローラを制御する段階と；入力命令がリモートコントローラに受信されれば、ＩＲ送信部から第２装置にＩＲ信号を送信するように前記リモートコントローラを制御する段階と；を含む。
【００１４】
もしリモートコントローラに入力命令が受信されれば、ＲＦ信号を送信するように前記リモートコントローラを制御する段階は、前記ＩＲ信号を送信するように前記リモートコントローラを制御する段階と同時に行われることができる。
【００１５】
前記リモートコントローラは、ジグビー−遵守プロトコルによってＲＦ信号を送信するように前記ＲＦアンテナを制御することができる。
【００１６】
本発明の他の実施形態によると、第１信号を出力することができるディスプレイ装置と；第２信号を出力することができるオーディオ装置と；及び第１装置及び第２装置を制御するリモートコントローラを含む遠隔制御されるＡＶ（Audio／Video）システムとして、ここで前記リモートコントローラは、ＲＦ信号を第１装置に送信することができるＲＦアンテナと、前記第２装置にＩＲ信号を送信することができるＩＲ送信部と、ユーザーから入力命令を受信することができるユーザー入力部と；前記入力命令の受信可否を確認して、入力命令が受信されれば、前記第１装置にＲＦ信号を送信するように前記ＲＦアンテナを制御し、前記第２装置にＩＲ信号を送信するように前記ＩＲ送信部を制御する制御部と；を含む。
【００１７】
本発明の他の実施形態によると、ＲＦアンテナとＩＲ送信部を有するリモートコントローラで複数の装置を制御する方法として、第１装置が第２装置と通信する可否を確認する段階と；前記第１装置が前記第２装置と通信を行えれば、前記ＲＦアンテナから前記第１装置に第１ＲＦ信号を送信し、前記ＩＲ送信部から第２装置にＩＲ信号を送信するように前記リモートコントローラを制御する段階と；前記第１装置が前記第２装置と通信を行うことができなければ、前記ＲＦアンテナから前記第１装置に第２ＲＦ信号を送信するように前記リモートコントローラを制御する段階と；を含む。
【００１８】
前記第１ＲＦ信号は、前記第２ＲＦ信号と同等なことができる。
【発明の効果】
【００１９】
前述のように、本発明によれば、一つのリモートコントローラで複数の装置を同時に制御することができる。
【図面の簡単な説明】
【００２０】
【図１】本発明の一実施形態による装置の一例を示す図である。
【図２】本発明の一実施形態によるシステムの一例を示す図である。
【図３Ａ】本発明の一実施形態による動作の一例をそれぞれ示す図である。
【図３Ｂ】本発明の一実施形態による動作の一例をそれぞれ示す図である。
【図４Ａ】本発明の一実施形態による動作の一例をそれぞれ示す図である。
【図４Ｂ】本発明の一実施形態による動作の一例をそれぞれ示す図である。
【図４Ｃ】本発明の一実施形態による動作の一例をそれぞれ示す図である。
【図５】本発明の一実施形態によるシステムの一例を示す図である。
【発明を実施するための形態】
【００２１】
以下、添付図面を参照して本発明の一実施形態に対して詳細に説明する。ここで、同一な符号は同一な要素を示し、反復記載はできるだけ省略する。
【００２２】
図１は、本発明の一実施形態によるリモートコントローラの例示を示す図である。図１に示すように、リモートコントローラ１００は、ＲＦアンテナ１０１、ＩＲ送信部１０２、制御部１０３及びユーザー入力部１０４を含むことができる。
【００２３】
ここで、前記制御部１０３は、前記ユーザー入力部１０４、ＲＦアンテナ１０１及びＩＲ送信部１０２に連結される。前記制御部１０３は、前記ユーザー入力部１０４を通じてユーザー入力の受信可否を確認することができる。そして、前記制御部は、ＲＦ信号及びＩＲ信号をそれぞれ異なる装置（図示せず）に送信するように前記ＲＦアンテナ及びＩＲ送信部を制御することができる。
【００２４】
以上のように、‘ＲＦ信号’と言う用語は、装置の間で通信するために使用されるどんなＲＦ信号を含むことができる。例えば、ジグビー（ZigBee）及びブルートゥース（Bluetooth）のようなＷＰＡＮｓ（wireless  personal  area  networks）応用プロトコルを含むことができる。即ち、前述のように、前記ＲＦ信号の送信は、ジグビー−遵守プロトコル、ブルートゥース−遵守プロトコル等によることができる。しかし、本発明はこれに限定されず、本発明の属する技術分野の通常の知識を有する人なら様々なプロトコルによる多様な伝送方法が可能であり、これは本発明の範囲に属することを理解することができる。
【００２５】
図２は、本発明の一実施形態によるシステムの一例を示す図である。
【００２６】
図２に示すように、システム２００は、第１装置２１０、第２装置２２０、前記第１装置２１０及び第２装置２２０を連結する連結部２３０及びリモートコントローラ２４０を含むことができる。前記リモートコントローラ２４０は、ユーザーが命令を入力して前記第１装置２１０及び/または前記第２装置２２０を制御するようにするユーザー入力部２４１を含むことができる。例えば、前記第１装置２１０は、前記リモートコントローラ２４０からＲＦ信号を受信し、前記第２装置２２０は、前記リモートコントローラ２４０からＩＲ信号を受信する。
【００２７】
前記システムの一例として、前記第１装置２１０は、ディスプレイ装置を含むことができる。前述のように、‘ディスプレイ装置’と言う用語は、‘映像ディスプレイ装置’と同義語であり、両者はスタンバイモードで作動可能などんなタイプのディスプレイ装置を含むことができる。例えば、コンピューターモニター、ＴＶ、ディスプレイスクリーンを有する携帯用装置などを含むことができる。前記第２装置２２０は、前記第１装置２１０の外部に分離された装置として、独立的に制御されることができる。
【００２８】
例えば、前記第２装置２２０は、外部スピーカー、ビデオゲームシステム、メディアプレーヤーなどを含み、前記第１装置２１０が使用するものと等しいＲＦ通信標準を利用しない。代りに、前記第２装置は、ユーザーからＩＲ制御信号を受信することができる。ここで、前記リモートコントローラ２４０は、前記ディスプレイ装置（即ち、第１装置２１０）にＲＦ信号を送信し、前記第２装置２２０にＩＲ信号を送信して両装置を独立的に制御することができる。このように、前記ディスプレイ装置（即ち、前記第１装置２１０）は、（前記送信されたＲＦ信号を通じて）スクリーンを表示したり、またはＩＲ信号を通じて送信された前記第２装置の制御動作に関する動作を行うことができる。即ち、前記システムにおいて、ユーザーは、前記第２装置でどんな動作の遂行を希望するが、ユーザーは、前記第２装置で行われる動作に関するどんな動作をさらに行うことができる第１装置を要求することもできる。
【００２９】
図３Ａは、本発明の一実施形態によるリモートコントローラの動作の一例を示す図である。
【００３０】
Ｓ３０１動作で、（ユーザーの入力によって）入力の受信可否を確認する。もし入力が受信されれば（Ｓ３０１−Ｙ）、前記リモートコントローラは、前記第１装置にＲＦ信号を送信する（Ｓ３０２）。前記リモートコントローラは、その時に前記第２装置にＩＲ信号を送信する（Ｓ３０３）。図３Ａは、送信動作（Ｓ３０２及びＳ３０３）が分離されて行われることのように見えるが、本発明はここに制限されない。これは、送信動作は、シリーズで、または並列的に（即ち、同時に）行うことができる。また、図３Ａは、ＲＦ信号がＩＲ信号の先に送信されることのように見えるが、本発明はここに制限されない。代りに、前記ＩＲ信号は、ＲＦ信号の先に送信されることができる。
【００３１】
図３Ｂは、並列的な（即ち、同時に）信号送信の一例を示す。
【００３２】
もう一度、初期に、（ユーザーの入力による）入力の受信可否を確認する（Ｓ３０４）。もし入力が受信されれば、ＲＦ信号及びＩＲ信号の送信が同時に発生することができる（Ｓ３０５及びＳ３０６）。
【００３３】
また、前記第１装置は、前記第２装置とともに動作を行うように構成されることができる。例えば、前記第１装置はＴＶであり、前記第２装置は外部スピーカーであることができる。このような場合に、前記ＴＶは、サウンド信号を（例えば、前記内部スピーカーに対立することとして）前記外部スピーカーに出力されるように構成されることができる。前記リモートコントローラは、前記ＴＶが前記外部スピーカーとともに動作を行うように構成されるか否かを確認することができる。同時に、前記リモートコントローラは、デュアル送信モードに変更して、これによってＲＦ及びＩＲ信号がボリュームレベルを変更するユーザーの入力に対応して（例えば、前記ＴＶ及び前記外部スピーカーにそれぞれ）送信されるようにすることができる。また、もしＴＶが前記外部スピーカーと共に動作するように構成されない場合には、前記リモートコントローラは、前記事実を確認し、前記ＴＶに直接に信号（例えば、ＲＦ信号）を出力するようにすることができる。
【００３４】
図４Ａは、本発明の一実施形態によるリモートコントローラの動作の他の実施形態を示す図である。
【００３５】
Ｓ４０１の動作で、第２装置の使用可否を確認する。前記確認は、前記第１装置が前記第２装置と通信するように構成されたか否かを確認して決定される。もし前記第２装置が使用されれば（Ｓ４０１−Ｙ）、前記リモートコントローラは、前記第１装置及び第２装置両者を制御するようにセッティングされることができる（Ｓ４０３）。一方、前記第２装置が使用されなければ（Ｓ４０１−Ｎ）、前記リモートコントローラは、ただ前記第１装置を制御するようにセッティングされることができる（Ｓ４０２）。
【００３６】
図４Ｂは、他の一例を示す図であり、（例えばユーザーから）キー入力が前記リモートコントロールによって受信されるか否かを確認する（Ｓ４０４）。もし前記入力が受信されれば（Ｓ４０４−Ｙ）、前記リモートコントローラは、前記第１装置にＲＦ信号を送信する（Ｓ４０５）。一方、図４Ｃに示すように、リモートコントローラがＲＦ及びＩＲ信号両者を送信するように構成され、前記キー入力が受信されれば（Ｓ４０６−Ｙ）、前記リモートコントローラは、前記ＲＦ信号を前記第１装置に送信し、前記ＩＲ信号を前記第２装置に送信する（Ｓ４０７）。また、前述のように、前記二つの信号の送信は、同時に発生することができない。代りに、二つの信号がそれぞれ他の信号の送信以前に送信されることができる。
【００３７】
図５は、本発明の一実施形態によるシステムの一例を示す図である。
【００３８】
図５に示すように、システム５００は、ディスプレイ装置５０１、外部スピーカー５０２及びユーザー入力部５０４を含むリモートコントローラ５０３を含むことができる。ユーザーが前記ユーザー入力部５０４を通じてサウンドボリュームを増加させる命令を入力し、前記ディスプレイ装置５０１が外部スピーカー５０２と共に動作するように構成される場合、前記リモートコントローラ５０３は、ＲＦ信号５０５及びＩＲ信号５０６をディスプレイ装置５０１及び外部スピーカー５０２にそれぞれ送信する。この場合に、前記ディスプレイ装置５０１は、前記ボリュームレベル指示部５１１（ボリュームレベルでの増加を示す）を表示することによって反応し、前記外部スピーカー５０２は、前記出力ボリュームの増加によって反応する。
【００３９】
前記実施形態において、前記ディスプレイ装置５０１は、ＲＦ信号によって制御され、前記外部スピーカー５０２は、前記ＩＲ信号によって制御される。しかし、本発明はここに制限されない。代りに、前記外部スピーカー５０２は、ＲＦ信号によって制御されることができる。また、前記ディスプレイ装置５０１は、前記ＩＲ信号によって制御されることができる。さらに、両装置は、それぞれＲＦ信号によって、またはそれぞれＩＲ信号によって制御されることができる。
【００４０】
また、本発明は、ディスプレイ装置及び外部スピーカーに制限されない。例えば、前記第１及び第２装置は、二つの独立的に制御されるビデオカメラになることもできる。また、ユーザーは、前記二つのカメラが同時に動作するように制御を希望することができる。本発明が属する技術分野の当業者は、多様な装置が本発明の一実施形態に従って使用されることを理解することができる。
【００４１】
また、前記実施形態がただ第１及び第２装置に対して記載しているが、本発明はここに制限されない。本発明が属する技術分野の当業者は、本発明のリモートコントローラが複数の装置を制御するように構成されることを理解することができる。例えば、リモートコントローラは、複数の送信部／アンテナを含むことによって複数の装置と同時に通信することができる。
【００４２】
さらに、図５に示すように、前記実施形態は、ＲＦアンテナ及びＩＲ送信部を使用するリモートコントローラを記載しているが、本発明はここに制限されない。代りに、前記リモートコントローラは、複数のＲＦアンテナまたは複数のＩＲ送信部を含むことによって、複数のＲＦ−制御装置またはＩＲ−制御装置とそれぞれ通信することができる。
【００４３】
例えば、ユーザーはＴＶとＳＴＢ（set−top  box）の同時制御を希望することができる（例えば、ユーザーは、ＴＶ上のボリュームレベルの表示制御とＳＴＢからＴＶに出力されるボリュームレベル信号の制御を同時に希望することができる）。前記両装置は、ＩＲ信号によって制御されることができる（または、両者はＲＦ信号によって制御されることができる）。この場合に、ユーザーは、リモートコントロール上のボリュームボタンを押してＩＲ（または、ＲＦ）を通じて前記両装置を同時に制御することができる。
【００４４】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【符号の説明】
【００４５】
１００  リモートコントローラ
１０１  ＲＦアンテナ
１０２  ＩＲ送信部
１０３  制御部
１０４  ユーザー入力部
【図１】
2011125003.tif 000003
【図２】
2011125003.tif 000004
【図３Ａ】
2011125003.tif 000005
【図３Ｂ】
2011125003.tif 000006
【図４Ａ】
2011125003.tif 000007
【図４Ｂ】
2011125003.tif 000008
【図４Ｃ】
2011125003.tif 000009
【図５】
2011125003.tif 000010